(57)【要約】【課題】ガードの隙間から覗き込んでガード内の状態を確認する際に見ることのできる範囲を広げることが可能であり、ひいては見栄えを良くすることができる扇風機を提供する。【解決手段】互いに適宜の間隔をあけて配置される複数の長尺の板状または棒状または線状の骨部分６を有するガード２を備えた扇風機Ｄであって、前記骨部分６を、外側ほど細くなるように形成してある。【選択図】      図１
2004353628.tif 000002
【特許請求の範囲】
【請求項１】
互いに適宜の間隔をあけて配置される複数の長尺の板状または棒状または線状の骨部分を有するガードを備えた扇風機であって、前記骨部分を、外側ほど細くなるように形成してあることを特徴とする扇風機。
【請求項２】
前記骨部分が、ガードの中央部から周縁部にかけてほぼ放射状に延びるように設けられており、中央部の裏側には、各骨部分の中央側の端部の裏面を覆うように補強部分が設けられている請求項１に記載の扇風機。
【請求項３】
前記ガードが合成樹脂製である請求項１または２に記載の扇風機。
【発明の詳細な説明】
【０００１】
【発明の属する技術分野】
本発明は、扇風機に関する。
【０００２】
【従来の技術】
従来の扇風機として、線状の骨部分を中央部から周縁部に向けてほぼ放射状に延ばしてなるガードを有するものがあり、前記ガードは一般的に金属製である。
【０００３】
これに対して、本出願人は、前記ガードのデザインにバリエーションを持たせるべく、前記ガードを金属製ではなく合成樹脂製とすることを検討している。
【０００４】
【発明が解決しようとする課題】
しかし、前記ガードをそのまま合成樹脂製にすると、十分な強度が得られなくなるという問題があった。そこで、骨部分の径を大きく（太く）することが考えられるが、この場合には、ガードの隙間（骨部分間の隙間）から覗き込んで羽根車の状態（汚れ具合など）を確認する際に、太くなった骨部分によって見ることのできる範囲が狭まり、また、骨部分を太くしたことによって、ガードの見た目が重々しくなり、ひいてはこのガードを備えた扇風機の見栄えが悪くなるおそれがあった。
【０００５】
本発明は上述の事柄に留意してなされたもので、その目的は、ガードの隙間から覗き込んでガード内の状態を確認する際に見ることのできる範囲を広げることが可能であり、ひいては見栄えを良くすることができる扇風機を提供することである。
【０００６】
【課題を解決するための手段】
上記目的を達成するために、本発明の扇風機は、互いに適宜の間隔をあけて配置される複数の長尺の板状または棒状または線状の骨部分を有するガードを備えた扇風機であって、前記骨部分を、外側ほど細くなるように形成してある（請求項１）。
【０００７】
上記の構成からなる本発明では、ガードの隙間から覗き込んでガード内の状態（例えば、羽根車の状態）を確認する際に見ることのできる範囲を広げることが可能であり、ひいては見栄えを良くすることができる扇風機を提供することが可能となる。
【０００８】
すなわち、上記の構成からなる扇風機では、ガードを構成する前記骨部分を、外側ほど細くなるように形成してあることから、そのように形成していない扇風機に比して、ガードの隙間（骨部分間の隙間）から覗き込んでガードの中の羽根車などの状態を確認する際に見ることのできる範囲が広がり、また、ガードの見た目が洗練されたものとなり、ひいてはこのガードを備えた扇風機の見栄えが良くなる。
【０００９】
また、前記骨部分が、ガードの中央部から周縁部にかけてほぼ放射状に延びるように設けられており、中央部の裏側には、各骨部分の中央側の端部の裏面を覆うように補強部分が設けられているとしてもよい（請求項２）。すなわち、前記ガードは例えば射出成形によって成形できるが、前記ガードの中央部において複数の骨部分の端部が密集した状態となるため、前記補強部分を設けていない場合には、ガードを型抜きする際に骨部分の中央側の端部付近が破損するおそれがあるが、本発明のガードでは、前記補強部分を設けてあることから、上記のような破損のおそれがなく、ガードを容易に製造することができる。
【００１０】
さらに、前記ガードが合成樹脂製であるとしてもよい（請求項３）。この場合には、ガードのデザインに容易にバリエーションを持たせることが可能となる。
【００１１】
【発明の実施の形態】
以下、本発明の実施の形態を図面に基づいて説明する。
図１は、本発明の一実施例に係る扇風機Ｄの構成を概略的に示す正面図である。
扇風機Ｄは、羽根車１と、羽根車１を回転させるための電動機等からなる駆動部（図示せず）と、前記羽根車１を前後から挟み込んで覆うように設けられる前側のガード２および後側のガード（図示せず）と、スタンド３とを備えている。
【００１２】
前記羽根車１は、複数枚（例えば、３枚）の羽根１ａを有している。
【００１３】
図２および図３は、前記ガード２の構成を概略的に示す平面図および底面図である。
前記前側のガード２は、合成樹脂製であり、平面視円形状のほぼドーム状をしており、また、網状となるように形成されている。詳しくは、前記ガード２は、中央に設けられる中央壁部４と、周縁に設けられるほぼ環状の周縁壁部５と、前記中央壁部４から周縁壁部５に向けてほぼ放射状に延びるように設けられ、互いに適宜の間隔をあけて配置される複数の長尺の板状または棒状または線状の骨部分６と、環状で、各骨部分６とほぼ垂直に交叉するように配置され、前記骨部分６を補強する交叉部分７とを有する。
【００１４】
また、前記ガード２の中央部の裏側には、図３および図４に示すように、各骨部分６の中央側の端部の裏面を覆うように環状の補強部分８が設けられている。
【００１５】
前記中央壁部４は平面視ほぼ円形状をしている。
【００１６】
前記周縁壁部５は、平面視ほぼ環状をしている。また、周縁壁部５の適宜の箇所には、図示していない後側のガードの周縁壁部と連結するためのクリップなどの連結部材５ａが設けられている。
【００１７】
前記骨部分６は、図５に示すように、外側（外面側）ほど細く（ガード２の外側に向かって細く）なるように形成されている。本実施例の骨部分６は、板状をしており、平面視における左右の幅よりも側面視における上下の幅のほうが大きくなるように構成されている。
【００１８】
また、前記骨部分６の側面視は、単純な円弧状や直線状ではなく、複数の円弧部分と直線部分とを有する形状をしている。すなわち、前記骨部分６は合成樹脂製であるため、容易かつ自由にその形状を設定することが可能である。
【００１９】
前記交叉部分７は、前記中央壁部４から周縁壁部５に向けて適宜の間隔をおいて複数（本実施例では２つ）設けられている。
【００２０】
上記の構成からなるガード２は、例えば、射出成形によって一体成形される。そして、前記ガード２の中央部において複数の骨部分６の端部が密集した状態となるため、前記補強部分８を設けていない場合には、ガード２を型抜きする際に骨部分６の中央側の端部付近が破損するおそれがあるが、本実施例のガード２には前記補強部分８を設けてあることから、上記のような破損のおそれがなく、ガード２を容易に製造することができる。
【００２１】
一方、前記後側のガードは、前側のガード２と比して、前記中央壁部４に相当する部分に、前記羽根車１と駆動部とを連結するためのモータ軸（図示せず）などを挿通させるための貫通孔（図示せず）が設けられている点で主に異なるだけで、他の構成は同様であることからその説明は省略する。
【００２２】
前記スタンド３は、ＯＮ／ＯＦＦの切り換えや風量の調節などを行うためのスイッチ３ａを有している。
【００２３】
なお、本実施例において、前記骨部分６を、外側（外面側）ほど細く（ガード２の外側に向かって細く）なるように形成せず、図６に示すように、内側（内面側）ほど細く（ガード２の内側に向かって細く）なるように形成してもよい。この場合には、前記羽根車１の回転によって羽根車１の前方に流される気流が前側のガード２の各骨部分６の間をよりスムーズに通り抜けることとなる。一方、後側のガードの骨部分は、外側（外面側）ほど細く（ガードの外側に向かって細く）なるように形成しておくことで、羽根車１の回転によって羽根車１の後方から羽根車１に向かって流れてくる気流が後側のガードの各骨部分の間をスムーズに通り抜けることとなるため、前側のガード２の骨部分６のように、内側（内面側）ほど細く（ガードの内側に向かって細く）なるように形成して得られるメリットはあまりないが、そのように形成してもよい。
【００２４】
【発明の効果】
以上説明したように、この発明によれば、ガードの隙間から覗き込んで羽根の状態を確認する際に見ることのできる範囲を広げることが可能であり、ひいては見栄えを良くすることができる扇風機を提供することが可能となる。
【００２５】
すなわち、上記の構成からなる扇風機では、ガードを構成する前記骨部分を、外側ほど細くなるように形成してあることから、そのように形成していない扇風機に比して、ガードの隙間（骨部分間の隙間）から覗き込んでガードの中の羽根車などの状態を確認する際に見ることのできる範囲が広がり、また、ガードの見た目が洗練されたものとなり、ひいてはこのガードを備えた扇風機の見栄えが良くなる。
【図面の簡単な説明】
【図１】本発明の一実施例に係る扇風機の構成を概略的に示す正面図である。
【図２】上記実施例におけるガードの構成を概略的に示す平面図である。
【図３】上記実施例におけるガードの構成を概略的に示す底面図である。
【図４】上記実施例におけるガードの構成を概略的に示す縦断面図である。
【図５】上記実施例における骨部分の構成を概略的に示す縦断面図である。
【図６】上記実施例における骨部分の変形例の構成を概略的に示す縦断面図である。
【符号の説明】
２…ガード、６…骨部分、Ｄ…扇風機。
【図１】
2004353628.tif 000003
【図２】
2004353628.tif 000004
【図３】
2004353628.tif 000005
【図４】
2004353628.tif 000006
【図５】
2004353628.tif 000007
【図６】
2004353628.tif 000008